(57)【要約】      （修正有）【課題】使用分を引き出した状態で蓋を閉じると切断完了となる、ラップフィルム収納ケースの提供。【解決手段】ラップフィルム収納ケース本体７内に、ラップフィルム自体２４を収納完了し、使用分を引き出し時にラップフィルムの端部分３２が通過する回路を示している、尚、底面１、巻芯の軸受け２２、下部前傾斜面２、溝状の空間１１、切断する刃１３、前垂下面下部１９、第２上部傾斜面１２、上部前傾斜面６、前垂下面１５、蓋開閉補助具２１、自由可動の蓋１８、引き出し口９、回転補助具１０、蓋の開閉にともなって同開閉を行う飛び出し防止具３１、収納口兼取り出し口８、下部後傾斜面上端１４、下部後傾斜面３、巻芯２５、且巻芯の軸受け２２が飛び出し防止具を兼用する。【選択図】図２
2007008581.tif 000002
【特許請求の範囲】
【請求項１】
多角形としたラップフィルム収納ケース本体であって（ａ）〜（ｍ）で構成を有することを特徴とするラップフィルム収納ケース
（ａ）底面、下部前傾斜面、下部後傾斜面、上部前傾斜面、上部後傾斜面、横左面、横右面からなる５角形多角形となっている
（ｂ）底面に連設して、下部前傾斜面、下部後傾斜面を、外側上方に傾斜をつけて連設している。
（ｃ）下部前傾斜面上端に連設し、上部前傾斜面を内側に傾斜をつけて設けている
（ｄ）上部前傾斜面下部に溝状の空間を挟み第２上部傾斜面を設けている
（ｅ）第２上部傾斜面上端部分に切断する刃を接合している
（ｆ）下部後傾斜面上端に連設して前垂下面、横左垂下面、横右垂下面を有する自由可動の蓋を内側に傾斜をつけて設けている
（ｇ）蓋の開閉にともなって同開閉を行う飛び出し防止具を、自由可動の蓋裏面に設けている
（ｈ）前垂下面下部先端部分に切断する刃を接合し、溝状の空間に押入可能に設けている
（ｉ）前垂下面上端部分に蓋開閉補助具を設けている
（ｊ）上部前傾斜面上端部分ほぼ中央に引き出し口を設けている
（ｋ）引き出し口に隣接して回転補助具を設けている
（ｌ）横左面内側、横右面内側にラップフィルム自体の巻芯の軸受けを設けている
（ｍ）下部後傾斜面上端の内側斜め上方空白部分に、収納口兼取り出し口を傾斜をつけて設けている
収納ケース本体を多角形とし傾斜を設けて、収納口兼取り出し口、飛び出し防止具、切断する刃、等各部具位置に傾斜を設けたこと、特に切断する刃を上下に設け使用時の形態を改良し、問題を解決したことを特徴とするラップフィルム収納ケース
【請求項２】
軟質、硬質の材料を用い長時間使用可能な収納ケースであって（ａ）〜（ｃ）で構成を有することを特徴とする、ラップフィルム収納ケース
（ａ）請求項１の（ｅ）に記載の第２上部傾斜面、（ｈ）に記載の前垂下面に、硬質の補強物質を適合可能に成形し接合した、ラップフィルム収納ケースを設ける
（ｂ）木材、プラスチック等々、硬質の材料を用いた収納ケースを設ける
（ｃ）紙を始め軟質の材料、木材、プラスチック等々、硬質の材料を複合して用いた収納ケースを設ける
、該収納ケースのなかより１を選択して、収納ケースを設けてなる請求項１に記載のラップフィルム収納ケース
【発明の詳細な説明】
【技術分野】
【０００１】  ラップフィルム収納ケース自体、ラップフィルム自体を収納する収納口兼取り出し口、飛び出し防止具、引き出し口、蓋開閉補助具、回転補助具、使用分を引き出したラップフィルムを切断する刃等々にかかわるものである
【背景技術】
【０００２】  ラップフィルムを使用分引き出して切断時、ラップフィルムが切断する刃の横側に当るので収納ケースを内側に、こねて切断している、次回使用する時ラップフィルムの端部分が、収納ケース本体前面に密着しているので摘むことが困難である、飛び出し防止具を設けているが、いちど収納が完了すると取り出しは不可能に近い防止具になっている、蓋の開閉時に親指が滑り不便である、力強く持ったり押さえたりすると収納ケース自体が変形するので不便が生じる、（例えば、特公平７−６４３５５を参照）【０００３】  ラップフィルム収納ケース本体後面上端に連設している蓋の前面垂下面の中央部分を山形状に突出させて、使用分を引き出したラップフィルムを切断する刃の先端を、蓋の前垂下面と同方向にして接合している、切断時において山形状に突出させた部分を親指で強くおさえて、収納ケース本体を内側にこねてラップフィルムを反対方向に引くと切断出来るが、強くおさえると収納ケース自体が変形するので不便が生じる【０００４】  （０００２）（０００３）に示すラップフィルム収納ケースの間題点を解決すべく、切断する刃の先部分を折曲しラップフィルム収納ケースに接合すると、切断する刃の先端が引き出したラップフィルムに直接当る、よって、切断が快適に完了するがラップフィルム自体を、ラップフィルム収納ケース本体内に収納時少々不便を覚える、このラップフィルム収納ケースは当発明者が出願中の収納ケースである、（例えば、特公２００５−３５６６５号を参照〕
【特許文献１】  特公平７−６４３５５号
【特許文献２】  特公平７−１００５０７号
【特許文献３】  特公２００５−３５６６５号
【発明の開示】
【発明が解決しようとする課題】
【０００５】  ラップフィルム収納ケースを内側にこねなくても切断可能な収納ケースを設ける、ラップフィルム自体をラップフィルム収納ケース本体内に収納時、何の障害もなく快適に完了し、収納完了後もラップフィルム自体を安易に取り出せる収納口兼取り出し口を設ける、ラップフィルム自体をラップフィルム収納ケース本体内に収納し、ラップフィルムの端を摘み引き出し時、ラップフィルム自体が引かれる側の前部直立面内側に当りラップフィルム自体の回転が悪くなり飛び出し防止具に当る、ラップフィルムの使用が進み少くなるとラップフィルム自体の自重が軽くなり、収納ケース本体外に脱出しようとする、この脱出を防止する防止具を、いろいろ発明されているが飛び出し防止具を強固にすると、収納したラップフィルム自体を取り出すことは不可能に近くなっている、飛び出し防止具の助けを借りなくてもラップフィルムの端を摘み、安心して使用分を引き出せる取り出し口兼収納口を設ける、使用分を引き出した状態で蓋を閉じると切断完了となる、ラップフィルム収納ケースを設ける
【課題を解決するための手段】
【０００６】  従来あるラップフィルム収納ケースは四角形長方形になっている、当発明は、底面、下部前傾斜面、下部後傾斜面、上部前傾斜面、上部後傾斜面、横左面、横右面、からなる五角形多角形となっている、底面に連設して下部前傾斜面、下部後傾斜面を外側上方に傾斜をつけて設けている、下部前傾斜面上端に連設し上部前傾斜面を内側に傾斜をつけて設けている、上部前傾斜面下部に溝状の空間を挟み第２上部傾斜面を設けている、第２上部傾斜面上端部分に切断する刃を設けている、下部後傾斜面上端に連設して前垂下面、横左垂下面、横右垂下面を有する自由可動の蓋を内側に傾斜をつけて設けている、前垂下面下端部分に切断する刃を接合し溝状の空間に押入可能に設けている、前垂下面上端部分に蓋開閉補助具を設ける、且蓋開閉補助具の形状は凹、凸、凹凸複合、選択し適合可能な形状に成形するも自由となっている、上部前傾斜面上端部分ほぼ中央部分に引き出し口を設ける、且引き出し口の形状、位置は適合可能に自由に変更し成形する、引き出し口に隣設して回転補助具を設ける、横左面内側、横右面内側にラップフィルムの巻芯の軸受けを設けている、収納口兼取り出し口を下部後傾斜面上端内側の空白部分に傾斜をつけて設けている、上記のラップフィルム収納ケースを設ける、且ラップフィルム収納ケースを使い捨てにするか、長期間使用するか選択し、軟質、硬質の材質を選択しラップフィルム収納ケースを設ける、なを連設としている箇所は総接合しても可能になっている．
【発明の効果】
【０００７】  ラップフィルム収納ケースを五角形多角形に成形し傾斜を設けたことで、総の、各各の部具が、従来役割を果していた位置を移動し、新しい形態で倍増して役割を果す結果となっている、ラップフィルムの着脱及び使用分の引き出しに何の障害もなくなり快適に使用可能となる、特に、傾斜を用いた溝状の空間を利用して、上、下、各各の切断する刃が鋏状に歯合可能となり、ラップフィルムを使用分引き出し物品の上に置いた状態で蓋を閉じると、こねなくてもラップフィルムの切断が完了となっている、よって切れ味を感じながら快適に使用可能となっている、ラップフィルムを使用分引き出し時上部前傾斜面が飛び出し防止具を兼用する状態となるので、飛び出し防止具がなくても飛び出しの心配が皆無となり安易に引き出しが可能になる、使用分を引き出したラップフィルムを切断する刃の先端部分を折曲しなくても、通常の切断する刃を接合すると歯の先端が内側を指向し、引き出したラップフィルムに直接当るので快適に切断可能となる、ラップフィルム自体を収納する収納口兼取り出し口を、下部後傾斜面上端内側の空白部分に傾斜をつけて設けたことで収納口が拡大し、回転補助具、飛び出し防止具を設けたとしても何の障害も皆無となる、ラップフィルムを使用分引き出し時、蓋を開くと収納ケース本体は自重で自動的に下方に移動し開閉が安易となる、軟質、硬質をとわず長期間使用可能なラップフィルム収納ケースを設けると、ゴミ間題のいったんを少々ながら解決し社界に少々ながら貢献出来る、総の間題点を解決したラップフィルム収納ケースとなっている
【発明を実施するための最良の形態】
【０００８】  底面、下部前傾斜面、下部後傾斜面、上部前傾斜面、上部後傾斜面、横左面、横右面、からなる五角形多角形のラップフィルム収納ケース本体を設ける、底面に連設して下部前傾斜面、下部後傾斜面を外側上方に傾斜をつけて設ける、下部前傾斜面上端に連設し上部前傾斜面を内側に傾斜をつけ設ける、上部前傾斜面下部に溝状の空間を挟み第２上部傾斜面を設ける、第２上部傾斜面上端部分に切断する刃を設ける、下部後傾斜面上端に連設して前垂下面、横左垂下面、横右垂下面を有する自由可動の蓋を内側に傾斜をつけて設ける、前垂下面下端部分に切断する刃を接合し（連設も可能）溝状の空間に押入可能に設ける、前垂下面上端部分に蓋開閉補助具を設ける、上部前傾斜面上端部分ほぼ中央部分に引き出し口を設ける、引き出し口に隣接して回転補助具を設ける、横左面内側、横右面内側にラップフィルムの巻芯の軸受けを設ける、収納口兼取り出し口を下部後傾斜面上端内側の斜め上方空白部分に傾斜をつけて設ける、上記構成のラップフィルム収納ケースが、最良の形態となっている．
【実施例】
【０００９】  図１は、請求項１に記載のラッフフィルム収納ケースの実施の形態を示す、底面１、巻芯の軸受け２２、下部前傾斜面２、左横面４、溝状の空間１１、切断する刃１３、収納ケース本体７、引き出し口９、第２上部傾斜面１２、上部前傾斜面６、上部前傾斜面上端部分２３、右横面５、右横垂下面１７、前垂下面１５、前垂下面上部２０、回転補助具１０、蓋開閉補助具２１、蓋の開閉にともなって同開閉を行う飛び出し防止具３１、収納口兼取り出し口８、前垂下面下部１９、自由可動の蓋１８、左横垂下面１６、下部後傾斜面上端１４、下部後傾斜面３、自由可動の蓋裏面３０となっている【００１０】  図２は、図１に示すラップフィルム収納ケース本体７内に、ラップフィルム自体２４を収納完了し、使用分を引き出し時にラップフィルムの端部分３２が通過する回路を示している、なを、底面１、巻芯お軸受け２２、下部前傾斜面２、溝状の空間１１、切断する刃１３、前垂下面下部１９、第２上部傾斜面１２、上部前傾斜面６、前垂下面１５、蓋開閉補助具２１、自由可動の蓋１８、引き出し口９、回転補助具１０、蓋の開閉にともなって同開閉を行う飛び出し防止具３１、収納口兼取り出し口８、下部後傾斜面上端１４、下部後傾斜面３、巻芯２５、且巻芯の軸受け２２が飛び出し防止具を兼用可能なことを示す．【００１１】  図３は、図１に示すラップフィルム収納ケース本体７内に、ラップフィルム自体を収納完了し、使用分を引き出し時、ラップフィルムの端部分３２を摘み適合する分を引き出し、自由可動の蓋１８を、なかば閉じるとラップフィルムの切断が始まっている部分３５を示している、なを、切断する刃１３、溝状の空間１１、蓋開閉補助具２１、となっている【００１２】  図４は、五角形に成形した本発明のラップフィルム収納ケース本体７は、収納されたラップフィルムの端部分３２を摘み使用分を引き出し時、手の掌３７の内で安易に引き出しに適合する角度に自然の状態で回転し固定可能なことを示している、且上部前傾斜面上端部分２３が、ラップフィルム３３の巻芯２５の頭上に位置し、飛び出し防止具２７を兼用可能なことを示している、なを、使用分を引き出し時ラップフィルム３３は始めに、ラップフィルム３３の巻芯２５の頭上３６に引き上げられた後に、ラップフィルムの端部分３２の方向に（横に引き出される）引き出される、まず始めに上方に引き上げられることで収納ケース本体７内より飛び出そうとする力が半減される、次に横に引き出されるが上部前傾斜面上端部分２３が飛び出し防止具２７の役割を果すので、ラップフィルム自体２４が飛び出そうとす力を防止するから安心して使用可能となる、従来の四角形長方形のラップフィルム収納ケースに収納されたラップフィルムは、図１１、図１２、に示すように、ラップフィルムの端部分を摘み使用分を引き出し時、始めに横少々斜上に引き出される・収納されたラップフィルムは収納ケース本体内より飛び出そうとする、多々生じる間題点を解決した収納ケースを示す、なを蓋開閉補助具２１、切断する刃１３となっている【００１３】  図５は、前垂下面下部に接合した切断する刃１３、蓋の開閉にともなって同間閉を行う飛び出し防止具３１を削除したことを示す、底面１、下部前傾斜面��、下部後傾斜面３、左横面４、右横面５、上部前傾斜面６、収納ケース本体７、収納口兼取り出し口８、引き出し口９、回転補助具１０、溝状の空間１１、第２上部傾斜面１２、切断する刃１３、下部後傾斜面上端１４、前垂下面１５、左横垂下面１６、右横垂下面１７、自由可動の蓋１８、前垂下面下部１９、前垂下面上部２０、蓋開閉補助具２１、巻芯の軸受け２２、上部前傾斜面上端部分２３、となっている【００１４】  図６は、図５に示す収納ケース本体７内にラップフィルム自体２４を収納完了の状態を示す、底面１、下部前傾斜面２、下部後傾斜面３、上部前傾斜面６、収納口兼取り出し口８、引き出し口９、回転補助具１０、溝状の空間１１、第２上部傾斜面１２、切断する刃１３、下部後傾斜面上端１４、前垂下面１５、自由可動の蓋１８、前垂下面下部１９、蓋開閉補助具２１、巻芯の軸受け２２、ラップフィルム自体２４、巻芯２５となっている【００１５】  図７は、ラップフィルム収納ケース後斜上に傾斜を設けた収納口兼取り出し口８をラップフィルム自体２４が、何の障害もなく安易に通過出来ることを示している、引き出し口９、回転補助具１０、上部前傾斜面６、切断する刃１３、第２上部傾斜面１２、溝状の空間１１、巻芯の軸受け２２、自由可動の蓋１８、蓋開閉補助具２１、前垂下面１５、前垂下面下部１９、カバー状とした凸部３８、円形状とした底面３９となっている．【００１６】  図８は、ラップフィルム収納ケース本体７内に、ラップフィルム自体２４を収納し使用分を引き出し切断可能な状態を示し、且、ラップフィルム３３がＵ字形回路３４を通過したことを示している、巻芯の軸受け２２、上部前傾斜面６、前垂下面下部１９、溝状の空間１１、ラップフィルムの端部分３２、切断する刃１３、前垂下面１５、蓋開閉補助具２１、引き出し口９、回転補助具１０となっている．【００１７】  図９は、上部前傾斜面上端部分２３のほぼ中央部分に引き出し口９を設け隣接して回転補助具１０を設けたことを示している、なを、上部前傾斜面６となっている【００１８】  図１０はラップフィルム自体２４の巻芯２５が巻芯の軸受け２２にセットされた状態を示し、なを、傾斜を有する巻芯の軸受け２２が飛び出し防止具を兼用可能なことを示す．【００１９】  図１１は従来のラップフィルム収納ケース示している、ラップフィルム収納ケース本体７、収納口兼取り出し口８、自由可動の蓋１８、飛び出し防止具２７、前垂下面１５、切断する刃１３、ラップフィルム自体２４、従来のラップフィルム収納ケース２６となっている、なを、請求項２に記載の収納ケースは従来の収納ケースにも適合可能である【００２０】  図１２は従来のラップフィルム収納ケース２６内に収納されたラップフィルム自体２４を使用分引き出し時ラップフィルムの端部分３２を持ち、収納ケースと反対方向に引くとラップフィルム自体２４の自重が軽くなるにしがたって上方に移動し、飛び出し防止具２７に当る、前直立面２８の内側に当る、回転が悪くなり収納口兼取り出し口８から、収納ケースの外に飛び出すことが多々生じることを示している、なを、自由可動の蓋１８、切断する刃１３となっている、よって飛び出し防止具２７が必要となってくる．【００２１】  図１３は従来のラ���プフィルム収納ケース２６の上部に設けている収納口兼取り出し口８は上方を向いている、飛び出し防止具２７を巾広く拡大するとラップフィルム自体２４が収納口兼取り出し口８の通過が不可能になることを示している、なを、自由可動の蓋１８、切断する刃１３、前直立面２８となっている【００２２】  図１４は、従来のラップフィルム収納ケースの、総の間題を解決すべく、切断する刃１３の先部分を内側に折曲しラップフィルム収納ケースに接合すると、切断する刃の先端が使用分引き出したラップフィルムに直接当る、よって、快適に切断が完了する、このラップフィルム収納ケースは当発明者が特願中の収納ケースである、（例えば、特公２００５−３５６６５号を参照）なを、引き出し口９、前直立面２８、溝状の空間１１、カーブを有する回転補助具２９、飛び出し防止具２７、収納口兼取り出し口８、蓋開閉補助具２１、前垂下面下部１９、自由可動の蓋１８、蓋の開閉にともなって同開閉をおこなう飛び出し防止具３１を示す、この発明は請求項のなかより選択し、本発明と併用可能な事を示す
【産業上の利用可能性】
【００２３】  従来のラップフィルム収納ケースに変り、各家庭、商店、料亭、旅館、スナック等々で大活躍することが充分考えられる
【図面の簡単な説明】
【００２４】
【図１】請求項１に記載の実施の形態を示す、立体図
【図２】ラップフィルム収納ケース本体内にラップフィルムを収納し、使用分を引き出した状態を示す、側面図
【図３】使用分を引き出し、蓋を閉じる途中でも切断が始まっていることを示す、立体図
【図４】切断する刃を２箇所に設けたことを始め、各々の部具が傾斜をともなった新しい位置で役割を果していることを示す、側面図
【図５】前垂下面下部に接合した切断する刃、蓋の開閉にともなって同開閉を行う飛び出し防止具を削除したことをしめす、立体図
【図６】前垂下面下部が溝状の空間に押入された状態を示す、側面図
【図７】傾斜を設けた収納口兼取り出し口を、ラップフィルム自体が自由に通過可能なことを示す、側面図
【図８】上部前傾斜面が飛び出し防止具を兼用可能なことを示す、側面図
【図９】引き出し口、回転補助具の形状を自由に、変更成形するも可能なことを示す、立体図
【図１０】巻芯が巻芯の軸受けにセットされたことを示す、上視図
【図１１】従来のラップフィルム収納ケースを示す、側面図
【図１２】収納されたラップフィルム自体が引き出し時、上方に移動することを示す、側面図
【図１３】飛び出し防止具を巾広く拡大するとラップフィルム自体が収納口兼取り出し口を通過不可能になることを示す、側面図
【図１４】特公２００５−３５６６５号に記載の選択図、図１を示す、立体図
【符号の説明】
【００２５】１    底面
２    下部前傾斜面
３    下部後傾斜面
４    左横面
５    右横面
６    上部前傾斜面
７    収納ケース本体
８    収納口兼取り出し口
９    引き出し口
１０  回転補助具
１１  溝状の空間
１２  第２上部傾斜面
１３  切断する刃
１４  下部後傾斜面上端
１５  前垂下面
１６  左横垂下面
１７  右横垂下面
１８  自由可動の蓋
１９  前垂下面下部
２０  前垂下面上部
２１  蓋開閉補助具
２２  巻芯の軸受け
２３  上部前傾斜面上端部分
２４  ラップフィルム自体
２５  巻芯
２６  従来のラップフィルム収納ケース
２７  飛び出し防止具
２８  前直立面
２９  カーブを有する回転補助具
３０  自由可動の蓋裏面
３１  蓋の開閉にともなって同開閉を行う飛び出し防止具
３２  ラップフィルムの端部分
３３  ラップフィルム
３４  Ｕ字形回路
３５  ラップフィルムの切断が始まっている部分
３６  ラップフィルム巻芯の頭上
３７  手の掌
３８  蓋開閉補助具を有するカバー状とした凸部
３９  円形状とした底面
【図１】
2007008581.tif 000003
【図２】
2007008581.tif 000004
【図３】
2007008581.tif 000005
【図４】
2007008581.tif 000006
【図５】
2007008581.tif 000007
【図６】
2007008581.tif 000008
【図７】
2007008581.tif 000009
【図８】
2007008581.tif 000010
【図９】
2007008581.tif 000011
【図１０】
2007008581.tif 000012
【図１１】
2007008581.tif 000013
【図１２】
2007008581.tif 000014
【図１３】
2007008581.tif 000015
【図１４】
2007008581.tif 000016
【手続補正書】
【提出日】平成17年11月21日(2005.11.21)
【手続補正１】
【補正対象書類名】特許請求の範囲
【補正対象項目名】請求項３
【補正方法】追加
【補正の内容】
【請求項３】
多角形としたラップフィルム収納ケース本体であって（ａ）〜（ｌ）で構成を有することを特徴とするラップフィルム収納ケース（ａ）底面、下部前傾斜面、下部後傾斜面、上部前傾斜面、上部後傾斜面、横左面、横右面からなる五角形多角形となっている（ｂ）底面に連設して、下部前傾斜面、下部後傾斜面を、外側上方に傾斜をつけて連設している．（ｃ）下部前傾斜面上端に連設し、上部前傾斜面を内側に傾斜をつけて設けている（ｄ）上部前傾斜面下部に溝状の空間を挟み、第２上部傾斜面を設けている（ｅ）第２上部傾斜面上端部分に切断する刃を接合している．（ｆ）下部後傾斜面上端に連設して前垂下面、横左垂下面、横右垂下面を有する自由可動の蓋を内側に傾斜をつけて設けている．（ｇ）前垂下面下部先端部分を山形状とし、この先端部分に山形状の切断する刃を接合し、溝状の空間に押入可能に設けている（ｈ）前垂下面上部ほぼ中央に、凹部を有する蓋開閉補助具を設けている（ｉ）前垂下面下部に、いつぽうの切断する刃をカバーする下部凸部を設けている（ｊ）上部前傾斜面外側にラップフィルムの端部分が密着する材質を接合した、密着部分を設けている（ｋ）上部前傾斜面上端部分ほぼ中央に引き出し口を設けている（ｌ）下部後傾斜面上端の内側斜め上方空白部分に、収納口兼取り出し口を傾斜をつけて設けている  上下２箇所に切断する刃を設け、いつぽうの切断する刃を山形状に成形し、コネなくても切断が完了することを特徴とする、請求項１のラップフイルム収納ケース
【手続補正書】
【提出日】平成17年11月25日(2005.11.25)
【手続補正１】
【補正対象書類名】図面
【補正対象項目名】図１５
【補正方法】追加
【補正の内容】
【図１５】
2007008581.tif 000017
【手続補正２】
【補正対象書類名】図面
【補正対象項目名】図１６
【補正方法】追加
【補正の内容】
【図１６】
2007008581.tif 000018
【手続補正３】
【補正対象書類名】図面
【補正対象項目名】図１７
【補正方法】追加
【補正の内容】
【図１７】
2007008581.tif 000019
【手続補正４】
【補正対象書類名】図面
【補正対象項目名】図１８
【補正方法】追加
【補正の内容】
【図１８】
2007008581.tif 000020
【手続補正５】
【補正対象書類名】図面
【補正対象項目名】図１９
【補正方法】追加
【補正の内容】
【図１９】
2007008581.tif 000021
【手続補正７】
【補正対象書類名】明細書
【補正対象項目名】全文
【補正方法】追加
【補正の内容】
【発明の詳細な説明】
【技術分野】
【０００１】  ラップフィルム収納ケース自体、ラップフィルム自体を収納する収納口兼取り出し口、飛び出し防止具、引き出し口、蓋開閉補助具、回転補助具、使用分を引き出したラップフィルムを切断する刃等々にかかわるものである
【背景技術】
【０００２】  ラップフィルムを使用分引き出して切断時、ラップフィルムが切断する刃の横側に当るので収納ケースを内側に、こねて切断している、次回使用する時ラップフィルムの端部分が、収納ケース本体前面に密着しているので摘むことが困難である、飛び出し防止具を設けているが、いちど収納が完了すると取り出しは不可能に近い防止具になっている、蓋の開閉時に親指が滑り不便である、力強く持ったり押さえたりすると収納ケース自体が変形するので不便が生じる．（例えば、特公平７−６４３５５を参照）【０００３】  ラップフィルム収納ケース本体後面上端に連設している蓋の前面垂下面の中央部分を山形状に突出させて、使用分を引き出したラップフィルムを切断する刃の先端を、蓋の前垂下面と同方向にして接合している、切断時において山形状に突出させた部分を親指で強くおさえて、収納ケース本体を内側にこねてラップフィルムを反対方向に引くと切断出来るが、強くおさえると収納ケース自体が変形するので不便が生じる【０００４】  〔０００２〕〔０００３〕に示すラップフィルム収納ケースの間題点を解決すべく、切断する刃の先部分を折曲しラップフィルム収納ケースに接合すると、切断する刃の先端が引き出したラップフィルムに直接当る、よって、切断が快適に完了するがラップフィルム自体を、ラップフィルム収納ケース本体内に収納時少々不便を覚える、このラップフイルム収納ケースは当発明者が出願中の収納ケースである、（例えば、特公２００５−３５６６５号を参照〕【特許文献１】特公平７−６４３５５号
【特許文献２】特公平７−１００５０７号
【特許文献３】特公２００５−３５６６５号
【発明の開示】
【発明が解決しようとする課題】
【０００５】  ラップフィルム収納ケースを内側にこねなくても切断可能な収納ケースを設ける、ラップフィルム自体をラップフィルム収納ケース本体内に収納時、何の障害もなく快適に完了し、収納完了後もラップフィルム自体を安易に取り出せる収納口兼取り出し口を設ける、ラップフィルム自体をラップフィルム収納ケース本体内に収納し、ラップフィルムの端を摘み引き出し時、ラップフィルム自体が引かれる側の前部直立面内側に当りラップフィルム自体の回転が悪くなり飛び出し防止具に当る、ラップフィルムの使用が進み少くなるとラップフィルム自体の自重が軽くなり、収納ケース本体外に脱出しようとする、この脱出を防止する防止具を、いろいろ発明されているが飛び出し防止具を強固にすると、収納したラップフィルム自体を取り出すことは不可能に近くなっている、飛び出し防止具の助けを借りなくてもラップフィルムの端を摘み、安心して使用分を引き出せる取り出し口兼収納口を設ける、使用分を引き出した状態で蓋を閉じると切断完了となる、ラップフィルム収納ケースを設ける
【課題を解決するための手段】
【０００６】  従来あるラップフィルム収納ケースは四角形長方形になっている、当発明は、底面、下部前傾斜面、下部後傾斜面、上部前傾斜面、上部後傾斜面、横左面、横右面、からなる五角形多角形となっている、底面に連設して下部前傾斜面、下部後傾斜面を外側上方に傾斜をつけて設けている．下部前傾斜面上端に連設し上部前傾斜面を内側に傾斜をつけて設けている、上部前傾斜面下部に溝状の空間を挟み第２上部傾斜面を設けている．第２上部傾斜面上端部分に切断する刃を設けている．下部後傾斜面上端に連設して前垂下面、横左垂下面、横右垂下面を有する自由可動の蓋を内側に傾斜をつけて設けている、前垂下面下端部分に切断する刃を接合し溝状の空間に押入可能に設けている、前垂下面上端部分に蓋開閉補助具を設ける、且蓋開閉補助具の形状は凹、凸、凹凸複合、選択し適合可能な形状に成形するも自由となっている、上部前傾斜面上端部分ほぼ中央部分に引き出し口を設ける、且引き出し口の形状、位置は適合可能に自由に変更し成形する．引き出し口に隣設して回転補助具を設ける、横左面内側、横右面内側にラップフィルムの巻芯の軸受けを設けている．収納口兼取り出し口を下部後傾斜面上端内側の空白部分に傾斜をつけて設けている．上記のラップフィルム収納ケースを設ける、且ラップフィルム収納ケースを使い捨てにするか、長期間使用するか選択し、軟質、硬質の材質を選択しラップフィルム収納ケースを設ける、なを連設としている箇所は総接合しても可能になっている．
【発明の効果】
【０００７】  ラップフィルム収納ケースを五角形多角形に成形し傾斜を設けたことで、総の、各各の部具が、従来役割を果していた位置を移動し、新しい形態で倍増して役割を果す結果となっている．ラップフィルムの着脱及び使用分の引き出しに何の障害もなくなり快適に使用可能となる．特に、傾斜を用いた溝状の空間を利用して、上、下、各各の切断する刃が鋏状に歯合可能となり、ラップフィルムを使用分引き出し物品の上に置いた状態で蓋を閉じると、こねなくてもラップフィルムの切断が完了となっている．よって切れ味を感じながら快適に使用可能となっている．ラップフィルムを使用分引き出し時上部前傾斜面が飛び出し防止具を兼用する状態となるので、飛び出し防止具がなくても飛び出しの心配が皆無となり安易に引き出しが可能になる．使用分を引き出したラップフィルムを切断する刃の先端部分を折曲しなくても、通常の切断する刃を接合すると刃の先端が内側を指向し、引き出したラップフィルムに直接当るので快適に切断可能となる、ラップフィルム自体を収納する収納口兼取り出し口を、下部後傾斜面上端内側の空白部分に傾斜をつけて設けたことで収納口が拡大し、回転補助具、飛び出し防止具を設けたとしても何の障害も皆無となる、ラップフィルムを使用分引き出し時、蓋を開くと収納ケース本体は自重で自動的に下方に移動し開閉が安易となる．軟質、硬質をとわず長期間使用可能なラップフィルム収納ケースを設けると、ゴミ問題のいったんを少々ながら解決し社界に少々ながら貢献出来る、総の問題点を解決したラップフィルム収納ケースとなっている
【発明を実施するための最良の形態】
【０００８】  底面、下部前傾斜面、下部後傾斜面、上部前傾斜面、上部後傾斜面、横左面、横右面、からなる五角形多角形のラップフィルム収納ケース本体を設ける、底面に連設して下部前傾斜面、下部後傾斜面を外側上方に傾斜をつけて設ける、下部前傾斜面上端に連設し上部前傾斜面を内側に傾斜をつけ設ける、上部前傾斜面下部に溝状の空間を挟み第２上部傾斜面を設ける、第２上部傾斜面上端部分に切断する刃を設ける、下部後傾斜面上端に連設して前垂下面、横左垂下面、横右垂下面を有する自由可動の蓋を内側に傾斜をつけて設ける、前垂下面下端部分に切断する刃を接合し（連設も可能）溝状の空間に押入可能に設ける、前垂下面上端部分に蓋開閉補助具を設ける、上部前傾斜面上端部分ほぼ中央部分に引き出し口を設ける、引き出し口に隣接して回転補助具を設ける、横左面内側、横右面内側にラップフィルムの巻芯の軸受けを設ける、収納口兼取り出し口を下部後傾斜面上端内側の斜め上方空白部分に傾斜をつけて設ける、上記構成のラップフィルム収納ケースが、最良の形態となっている．
【実施例】
【０００９】  図１は、請求項１にラッフフィルム収納ケースの実施の形態を示す、底面１、巻芯の軸受け２２、下部前傾斜面２、左横面４、溝状の空間１１、切断する刃１３、収納ケース本体７、引き出し口９、第２上部傾斜面１２、上部前傾斜面６、上部前傾斜面上端部分２３、右横面５、右横垂下面１７、前垂下面１５、前垂下面上部２０、回転補助具１０、蓋開閉補助具２１、蓋の開閉にともなって同開閉を行う飛び出し防止具３１、収納口兼取り出し口８、前垂下面下部１９、自由可動の蓋１８、左横垂下面１６、下部後傾斜面上端１４、下部後傾斜面３、自由可動の蓋裏面３０となっている【００１０】  図２は、図１に示すラップフィルム収納ケース本体７内に、ラップフィルム自体２４を収納完了し、使用分を引き出し時にラップフィルムの端部分３２が通過する回路を示している、なを、底面１、巻芯の軸受け２２、下部前傾斜面２、溝状の空間１１、切断する刃１３、前垂下面下部１９、第２上部傾斜面１２、上部前傾斜面６、前垂下面１５、蓋開閉補助具２１、自由可動の蓋１８、引き出し口９、回転補助具１０、蓋の開閉にともなって同開閉を行う飛び出し防止具３１、収納口兼取り出し口８、下部後傾斜面上端１４、下部後傾斜面３、巻芯２５、且巻芯の軸受け２２が飛び出し防止具を兼用可能なことを示す．【００１１】  図３は、図１に示すラップフィルム収納ケース本体７内に、ラップフィルム自体を収納完了し、使用分を引き出し時、ラップフィルムの端部分３２を摘み適合する分を引き出し、自由可動の蓋１８を、なかば閉じるとラップフィルムの切断が始まっている部分３５を示している、なを、切断する刃１３、溝状の空間１１、蓋開閉補助具２１、となっている【００１２】  図４は、五角形に成形した本発明のラップフィルム収納ケース本体７は、収納されたラップフィルムの端部分３２を摘み使用分を引き出し時、手の掌３７の内で安易に引き出しに適合する角度に自然の状態で回転し固定可能なことを示している、且上部前傾斜面上端部分２３が、ラップフィルム３３の巻芯２５の頭上に位置し、飛び出し防止具２７を兼用可能なことを示している、なを、使用分を引き出し時ラップフィルム３３は始めに、ラップフィルム３３の巻芯２５の頭上３６に引き上げられた後に、ラップフィルムの端部分３２の方向に（横に引き出される）引き出される、まず始めに上方に引き上げられることで収納ケース本体７内より飛び出そうとする力が半減される、次に横に引き出されるが上部前傾斜面上端部分２３が飛び出し防止具２７の役割を果すので、ラップフィルム自体２４が飛び出そうとす力を防止するから安心して使用可能となる、従来の四角形長方形のラップフィルム収納ケースに収納されたラップフィルムは、図１１、図１２、に示すように、ラップフィルムの端部分を摘み使用分を引き出し時、始めに横少々斜上に引き出される．収納されたラップフィルムは収納ケース本体内より飛び出そうとする、多々生じる間題点を解決した収納ケースを示す、なを蓋開閉補助具２１、切断する刃１３となっている【００１３】  図５は、前垂下面下部に接合した切断する刃１３、蓋の開閉にともなって同間閉を行う飛び出し防止具３１を削除したことを示す、底面１、下部前傾斜面２、下��後傾斜面３、左横面４、右横面５、上部前傾斜面６、収納ケース本体７、収納口兼取り出し口８、引き出し口９、回転補助具１０、溝状の空間１１、第２上部傾斜面１２、切断する刃１３、下部後傾斜面上端１４、前垂下面１５、左横垂下面１６、右横垂下面１７、自由可動の蓋１８、前垂下面下部１９、前垂下面上部２０、蓋開閉補助具２１、巻芯の軸受け２２、上部前傾斜面上端部分２３、となっている【００１４】  図６は、図５に示す収納ケース本体７内にラップフィルム自体２４を収納完了の状態を示す、底面１、下部前傾斜面２、下部後傾斜面３、上部前傾斜面６、収納口兼取り出し口８、引き出し口９、回転補助具１０、溝状の空間１１、第２上部傾斜面１２、切断する刃１３、下部後傾斜面上端１４、前垂下面１５、自由可動の蓋１８、前垂下面下部１９、蓋開閉補助具２１、巻芯の軸受け２２、ラップフィルム自体２４、巻芯２５となっている【００１５】  図７は、ラップフィルム収納ケース後斜上に傾斜を設けた収納口兼取り出し口８をラップフィルム自体２４が、何の障害もなく安易に通過出来ることを示している、引き出し口９、回転補助具１０、上部前傾斜面６、切断する刃１３、第２上部傾斜面１２、溝状の空間１１、巻芯の軸受け２２、自由可動の蓋１８、蓋開閉補助具２１、前垂下面１５、前垂下面下部１９、カバー状とした凸部３８、円形状とした底面３９となっている．【００１６】  図８は、ラップフィルム収納ケース本体７内に、ラップフィルム自体２４を収納し使用分を引き出し切断可能な状態を示し、且、ラップフィルム３３がＵ字形回路３４を通過したことを示している、巻芯の軸受け２２、上部前傾斜面６、前垂下面下部１９、溝状の空間１１、ラップフィルムの端部分３２、切断する刃１３、前垂下面１５、蓋開閉補助具２１、引き出し口９、回転補助具１０となっている．【００１７】  図９は、上部前傾斜面上端部分２３のほぼ中央部分に引き出し口９を設け隣設して回転補助具１０を設けたことを示している．なを、上部前傾斜面６となっている【００１８】  図１０はラップフィルム自体２４の巻芯２５が巻芯の軸受け２２にセットされた状態を示し、なを、傾斜を有する巻芯の軸受け２２が飛び出し防止具を兼用可能なことを示す【００１９】  図１１は従来のラップフィルム収納ケース示している、ラップフィルム収納ケース本体７、収納口兼取り出し口８、自由可動の蓋１８、飛び出し防止具２７、前垂下面１５、切断する刃１３、ラップフィルム自体２４、従来のラップフィルム収納ケース２６となっている．なを、請求項２に記載の収納ケースは従来の収納ケースにも適合可能である【００２０】  図１２は従来のラップフィルム収納ケース２６内に収納されたラップフィルム自体２４を使用分引き出し時ラップフィルムの端部分３２を持ち、収納ケースと反対方向に引くとラップフィルム自体２４の自重が軽くなるにしたがって上方に移動し、飛び出し防止具２７に当る、前直立面２８の内側に当る、回転が悪くなり収納口兼取り出し口８から、収納ケースの外に飛び出すことが多々生じることを示している．なを、自由可動の蓋１８、切断する刃１３となっている．よって飛び出し防止具２７が必要となってくる．【００２１】  図１３は従来のラップフィ���ム収納ケース２６の上部に設けている収納口兼取り出し口８は上方を向いている、飛び出し防止具２７を巾広く拡大するとラップフィルム自体２４が収納口兼取り出し口８の通過が不可能になることを示している．なを、自由可動の蓋１８、切断する刃１３、前直立面２８となっている【００２２】  図１４は、従来のラップフィルム収納ケースの、総の間題をすべく、切断する刃１３の先部分を内側に折曲しラップフィルム収納ケースに接合すると、切断する刃の先端が使用分引き出したラップフィルムに直接当る、よって、快適に切断が完了する、このラップフィルム収納ケースは当発明者が特願中の収納ケースである、（例えば、特公２００５−３５６６５号を参照）なを、引き出し口９、前直立面２８、溝状の空間１１、カーブを有する回転補助具２９、飛び出し防止具２７、収納口兼取り出し口８、蓋開閉補助具２１、前垂下面下部１９、自由可動の蓋１８、蓋の開閉にともなって同開閉をおこなう飛び出し防止具３１を示す、この発明は請求項のなかより選択し、本発明と併用可能な事を示す【００２３】  図１５は、請求項３に記載のラップフィルム収納ケースの実施の形態を示す、なを、底面１、下部前傾斜面２、左横面４、溝状の空間１１、切断する刃１３、引き出し口９、密着部分４５、第２上部傾斜面１２、上部前傾斜面６、上部前傾斜面上端部分２３、右横面５、右横垂下面１７、下部凸部４４、前垂下面１５、前垂下面上部２０、収納ケース本体７、凹部上側面４１、凹部下側面４２、山形状の切断する刃４３、凹部を有する蓋開閉補助具４０、収納口兼取り出し口８、前垂下面下部１９、自由可動の蓋１８、左横垂下面１６、下部後傾斜面上端１４、下部後傾斜面３となっている、且、特許請求の範囲、実施例等々に、連設、接合とある箇所は、連設が接合になるも可能、接合が連設になるも可能、連設又は接合の、いっぽうを選択して使用するも可能となっている．【００２４】  図１６は、自由可動の蓋１８の、前垂下面下部１９を山形状として溝状の空間１１に押入可能とし、この先端部分に、山形状の切断する刃４３を、接合したことを示している．なを、凹部を有する蓋開閉補助具４０を示し、凹部上側面４１が蓋を開く時、凹部下側面４２が、蓋を閉じる時の補助具となっている、（従来は蓋を開く時の補助具は考案されているが蓋を閉じる時の補助具は考案されてない）、自由可動の蓋１８の、前垂下面上部２０の、下部凸部４４は切断する刃１３をカバーする形態となっている、且、底面１、下部前傾斜面２、左横面４、引き出し口９、第２上部傾斜面１２、上部傾斜面６、上部前傾斜面上端部分２３、右横面５、右横垂下面１７、前垂下面１５、収納ケース本体７、左横垂下面１６、収納口兼取り出し口８、下部後傾斜面上端１４、下部後傾斜面３を示している．【００２５】  図１７は、引き出し口９に飛び出し防止具２７を連設したことを示している（接合も可能である）他の符号の説明は図１５と同じである【００２６】  図１８は、傾斜を設けた各々の部具を示している、自由可動の蓋を閉じると下部凸部４４が切断する刃１３をカバーした状態を示している、なを、底面１、下部前傾斜面２、左横面４、前垂下面下部１９、溝状の空間１１、山形状の切断する刃４３、ラップフィルムの端部分３２、切断する刃１３、凹部下側面４２、凹部を有する蓋開閉補助具４０、凹部上側面４１、自由可動の蓋１８、ラップフィルム自体２４、下部後傾斜面上端１４、下部後傾斜面３、を示している【００２７】  図１９は、従来のラップフィルム収納ケース２６を改良し（総の収納ケースを含む）、本発明の切断する刃１３、山形状の切断する刃４３を接合したことを示している
【産業上の利用可能性】
【００２８】  従来のラップフィルム収納ケースに変り、各家庭、商店、料亭、旅館、スナック等々で大活躍することが充分考えられる
【図面の簡単な説明】
【００２９】
【図１】請求項１に記載の実施の形態を示す、立体図
【図２】ラップフィルム収納ケース本体内にラップフィルムを収納し、使用分を引き出した状態を示す、側面図
【図３】使用分を引き出し、蓋を閉じる途中でも切断が始まっていることを示す、立体図
【図４】切断する刃を２箇所に設けたことを始め、各々の部具が傾斜をともなった新しい位置で役割を果していることを示す、側面図
【図５】前垂下面下部に接合した切断する刃、蓋の開閉にともなって同開閉を行う飛び出し防止具を削除したことを示す、立体図
【図６】前垂下面下部が溝状の空間に押入された状態を示す、側面図
【図７】傾斜を設けた収納口兼取り出し口を、ラップフィルム自体が自由に通過可能なことを示す、側面図
【図８】上部前傾斜面が飛び出し防止具を兼用可能なことを示す、側面図
【図９】引き出し口、回転補助具の形状を自由に、変更成形するも可能なことを示す、立体図
【図１０】巻芯が、巻芯の軸受けにセットされたことを示す、上視図
【図１１】従来のラップフィルム収納ケースを示す、側面図
【図１２】収納されたラップフィルム自体を引き出し時、上方に移動することを示す側面図
【図１３】飛び出し防止具を巾広く拡大するとラップフィルム自体が、収納口兼取り出し口を通過不可能になることを示す、側面図
【図１４】特公２００５−３５６６５号に記載の選択図、図１を示す、立体図
【図１５】請求項３に記載の収納ケースの実施の形態を示す、立体図
【図１６】前垂下面下部に山形状の切断する刃を接合したことを示す、立体図
【図１７】引き出し口に飛び出し防止具を連設したことを示す、立体図
【図１８】蓋を閉じると下部凸部が切断する刃をカバーすることを示す、側面図
【図１９】従来の収納ケースに本発明の切断する刃、山形状の切断する刃を接合したことを示す、立体図
【符号の説明】
【００３０】１    底面２    下部前傾斜面３    下部後傾斜面４    左横面５    右横面６    上部前傾斜面７    収納ケース本体８    収納口兼取り出し口９    引き出し口１０  回転補助具１１  溝状の空間１２  第２上部傾斜面１３  切断する刃１４  下部後傾斜面上端１５  前垂下面１６  左横垂下面１７  右横垂下面１８  自由可動の蓋１９  前垂下面下部２０  前垂下面上部２１  蓋開閉補助具２２  巻芯の軸受け２３  上部前傾斜面上端部分２４  ラップフィルム自体２５  巻芯２６  従来のラップフィルム収納ケース２７  飛び出し防止具２８  前直立面２９  カーブを有する回転補助具３０  自由可動の蓋裏面３１  蓋の開閉にともなって同開閉を行う飛び出し防止具３２  ラップフィルムの端部分３３  ラップフィルム３４  Ｕ字形回路３５  ラップフィルムの切断が始まっている部分３６  ラップフィルム巻芯の頭上３７  手の掌３８  蓋開閉補助具を有するカバー状とした凸部３９  円形状とした底面４０  凹部を有する蓋開閉補助具４１  凹部上側面４２  凹部下側面４３  山形状の切断する刃４４  下部凸部４５  密着部分
【手続補正書】
【提出日】平成18年2月27日(2006.2.27)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
多角形としたラップフイルム収納ケース本体であつて（ａ）〜（ｍ）で構成を有することを特徴とするラップフイルム収納ケース
（ａ）底面、下部前傾斜面、下部後傾斜面、上部前傾斜面、上部後傾斜面、横左面、横右面からなる５角形多角形となつている
（ｂ）底面に連接して、下部前傾斜面、下部後傾斜面を、外側上方に傾斜をつけて連設している
（ｃ）下部前傾斜面上端に連設し、上部前傾斜面を内側に傾斜をつけて設けている
（ｄ）上部前傾斜面下部に溝状の空間を挟み、第２上部傾斜面を設けている
（ｅ）第２上部傾斜面上端部分に切断する刃を接合している
（ｆ）下部後傾斜面上端に連設して、前垂下面、横左垂下面、横右垂下面を有する自由可動の蓋を内側に傾斜をつけて設けている
（ｇ）蓋の開閉にともなって同開閉を行う飛び出し防止具を、自由可動の蓋裏面に設けている
（ｈ）前垂下面下部先端部分に切断する刃を接合し、溝状の空間に押入可能に設けている
（ｉ）前垂下面上端部分に蓋開閉補助具を設けている
（ｊ）上部前傾斜面上端部分ほぼ中央部分に引き出し口を設けている
（ｋ）引き出し口に隣接して回転補助具を設けている
（ｌ）横左面内側、横右内側にラツプフイルム自体の巻芯の軸受けを設けている
（ｍ）下部後傾斜面上端の内側斜め上方空白部分に、収納口兼取り出し口を傾斜をつけて設けている
収納ケース本体を多角形とし傾斜を設けて、収納口兼取り出し口、飛び出し防止具、切断する刃、等々各部具位置に傾斜を設けたこと、特に切断する刃を上下に設け使用時の形態を改良し、問題を解決したことを特徴とするラツプフイルム収納ケース
【請求項２】
軟質、硬質の材料を用い長期間使用可能な収納ケースであって（ａ）〜（ｃ）で構成を有することを特徴とする、ラツプフイルム収納ケース
（ａ）請求項１の（ｅ）に記載の第２上部傾斜面、（ｈ）に記載の前垂下面に、硬質の補強物質を適合可能に成形し接合した、ラツプフイルム収納ケースを設ける
（ｂ）木材、プラスチック等々、硬質の材料を用いた収納ケースを設ける
（ｃ）紙を始め軟質の材料、木材、プラスチック等々、硬質の材料を複合して用いた収納ケースを設ける
該収納ケースのなかより１を選択して、収納ケースを設けてなる請求項１に記載のラップフイルム収納ケース
【請求項３】
多角形としたラツプフイルム収納ケース本体であって（ａ）〜（ｌ）で構成を有することを特徴とする、ラツプフイルム収納ケース
（ａ）底面、下部前傾斜面、下部後傾斜面、上部前傾斜面、上部後傾斜面、横左面、横右面からなる五角形多角形となつている
（ｂ）底面に連設して、下部前傾斜面、下部後傾斜面を、外側上方に傾斜をつけて連設している
（ｃ）下部前傾斜面上端に連接し、上部前傾斜面を内側に傾斜をつけて設けている
（ｄ）上部前傾斜面下部に溝状の空間を挟み、第２上部傾斜面を設けている
（ｅ）第２上部傾斜面上端部分に切断する刃を接合している
（ｆ）下部後傾斜面上端に連接して、前垂下面、横左垂下面、横右垂下面を有する自由可動の蓋を内側に傾斜をつけて設けている
（ｇ）前垂下面下部先端部分を山形状とし、この先端部分に山形状の切断する刃を接合し、溝状の空間に押入可能に設けている
（ｈ）前垂下面上部分ほぼ中央に、凹部を有する蓋開閉補助具を設けている
（ｉ）前垂下面ほぼ下部に、いつぽうの切断する刃をカバーする下部凸部分を設けている
（ｊ）上部前傾斜面外側に、使用分を引き出し切断した端部分が接触する部分に、端部分が密着する材質を接合した、密着部分を設けている
（ｋ）上部前傾斜面上端部分ほぼ中央に引き出し口を設けている
（ｌ）下部後傾斜面上端の内側斜め上方空白部分に、収納口兼取り出し口を傾斜をつけて設けている
上下２箇所に切断する刃を設け、いつぽうの切断する刃を山形状に成形し、コネなくても切断が完了することを特徴とする、請求項１のラツプフイルム収納ケース